【手続補正書】
【提出日】平成16年8月24日(2004.8.24)
【手続補正１】
【補正対象書類名】明細書
【補正対象項目名】発明の名称
【補正方法】変更
【補正の内容】
【発明の名称】マトリクス型表示装置の電極駆動ＩＣとその接続方法
【手続補正２】
【補正対象書類名】明細書
【補正対象項目名】特許請求の範囲
【補正方法】変更
【補正の内容】
【特許請求の範囲】
【請求項１】
実装基板の接続部と端子面とを向かい合わせに重ねて電気的な接続をとるマトリクス型表示装置の電極駆動ＩＣにおいて、
該電極駆動ＩＣが、一方または両方の短辺に沿って配置した端子群と、これらの端子群より内側に配置した電極駆動用の出力端子群とを有し、
両短辺に端子群を配置した電極駆動ＩＣにおいては、電極駆動用の出力端子群が電極駆動ＩＣの中心に関して点対称に配列され、
一方の短辺のみに端子群を配置した電極駆動ＩＣにおいては、電極駆動ＩＣの形状が、前記両短辺に端子群を配置した電極駆動ＩＣから一方の短辺沿いの端子群の配置領域を切除した形状であることを特徴とするマトリクス型表示装置の電極駆動ＩＣ。
【請求項２】
請求項１に記載のマトリクス型表示装置の電極駆動ＩＣにおいて、
該電極駆動ＩＣは一方向のアドレッシング機能を有し、正置表示の実装に対し１８０゜回転させて前記実装基板の接続部に実装することにより反転表示を行うことを特徴とするマトリクス型表示装置の電極駆動ＩＣ。
【請求項３】
請求項１に記載のマトリクス型表示装置の電極駆動ＩＣであって両短辺に端子群を配置したものにおいて、
該両短辺に配置した端子群も前記出力端子群と共通の中心に関して点対称性を有することを特徴とするマトリクス型表示装置の電極駆動ＩＣ。
【請求項４】
請求項１に記載のマトリクス型表示装置の電極駆動ＩＣにおいて、
前記電極駆動用の出力端子群が前記電極駆動ＩＣの中央部で長辺と平行に１列に配列していることを特徴とするマトリクス型表示装置の電極駆動ＩＣ。
【請求項５】
請求項１に記載のマトリクス型表示装置の電極駆動ＩＣにおいて、
前記電極駆動用の出力端子群が互い違いの配列を有し、そこに含まれる端子数が偶数であることを特徴とするマトリクス型表示装置の電極駆動ＩＣ。
【請求項６】
請求項１に記載のマトリクス型表示装置の電極駆動ＩＣにおいて、
前記電極駆動用の出力端子群がマトリクス状の配列を有し、短辺と平行な電極駆動用の出力端子行が等間隔で配列していることを特徴とするマトリクス型表示装置の電極駆動ＩＣ。
【請求項７】
請求項１に記載のマトリクス型表示装置の電極駆動ＩＣである第１の電極駆動ＩＣと第２の電極駆動ＩＣの短辺同士を向き合わせて、対向する端子同士を実装基板上の配線を介して接続し、前記の第１と第２の電極駆動ＩＣを縦列接続することを特徴とするマトリクス型表示装置の電極駆動ＩＣの接続方法。
【手続補正３】
【補正対象書類名】明細書
【補正対象項目名】０００６
【補正方法】変更
【補正の内容】
【０００６】
図９（Ａ）の一方向シフトレジスターでは、２４０個のデータタイプのフリップフロップ（以下Ｄ−ＦＦと称する）Ｄ１、Ｄ２、……、Ｄ２４０のクロック入力端子ＣＫに同一のクロック信号ｃｋが入力し、初段と最後段のＤ−ＦＦ・Ｄ１、Ｄ２４０を除き、隣接するＤ−ＦＦとの関係において、前段のＤ−ＦＦの出力端子Ｑが後段のＤ−ＦＦのデータ入力端子Ｄに接続している。走査開始を示すパルス状のスタート信号ｓｔがＤ−ＦＦ・Ｄ１のデータ入力端子Ｄに入力し、クロック信号ｃｋに同期してＤ−ＦＦ・Ｄ１、Ｄ２、……、Ｄ２４０の順番で選択パルスを転送する。この選択パルスにより各Ｄ−ＦＦ・Ｄ１、Ｄ２、Ｄ３、……、Ｄ２３９、Ｄ２４０の出力端子Ｑと接続している電極駆動用の出力ブロックＢ１、Ｂ２、Ｂ３、……、Ｂ２３９、Ｂ２４０がアドレッシングされる。
【手続補正４】
【補正対象書類名】明細書
【補正対象項目名】０００９
【補正方法】変更
【補正の内容】
【０００９】
図１０は前述の走査電極駆動ＩＣ１０１とガラス基板との接続状況を示す模式図であり、ガラス基板の裏側から走査電極駆動ＩＣ１０１の端子面を眺めたものである。破線で示した走査電極Ｃ１、Ｃ２、Ｃ３、……、Ｃ２３９、Ｃ２４０と、走査電極駆動ＩＣ１０１の走査電駆動用の出力端子Ｔ１、Ｔ２、Ｔ３、……、Ｔ２３９、Ｔ２４０がそれぞれ接続している。走査電極駆動ＩＣ１０１の上部の短辺側では、電源端子ＶＤ１、ＶＤ２、ＶＳ２、ＶＳ１と信号入力端子ＣＫ、ＳＴが、外部回路との接続用の透明電極（ＩＴＯ）配線Ｐ１０１，Ｐ１０２，Ｐ１０５、Ｐ１０６、Ｐ１０３、Ｐ１０４とそれぞれ接続し、信号入力端子ＲＬ２は配線Ｐ１０７で電源端子ＶＳ１と接続している。なお走査電極Ｃ１等は、走査電極に接続する配線も含んでいるが、各配線は表示画面内の一本の走査電極にのみ接続しているので、これからの説明でも走査電極と称する。
【手続補正５】
【補正対象書類名】明細書
【補正対象項目名】００１４
【補正方法】変更
【補正の内容】
【００１４】
【課題を解決するための手段】
前述した目的を達成するために、本発明は、電極駆動ＩＣが点対称に配列した電極駆動用の出力端子群と、短辺側に配置した端子群と、一方向のアドレッシング機能を有し、正置表示の実装に対し電極駆動ＩＣを１８０゜回転させ実装基板の接続部に実装し反転表示を行うことを特徴とする。
【手続補正６】
【補正対象書類名】明細書
【補正対象項目名】００１５
【補正方法】変更
【補正の内容】
【００１５】
【発明の実施の形態】
図１は、本発明の第１の実施の形態の走査電極駆動ＩＣ１１の端子配置を示す模式図である。走査電極駆動用の出力端子群として出力端子Ｔ１、Ｔ２、Ｔ３、Ｔ４、……、Ｔ２３７、Ｔ２３８、Ｔ２３９、Ｔ２４０が走査電極駆動ＩＣ１１の中央部で一列に並んでおり、走査電極駆動ＩＣ１１の中心に関して点対称な配列をとっている。走査電極駆動ＩＣ１１の上側の短辺部には端子群として電源端子ＶＤＤ、ＶＭ、ＶＳＳ、信号入力端子ＣＫ、ＳＴが配置されている。走査電極駆動ＩＣ１１の下側の短辺部には上側と同名の端子が配置されている。同名のもの同士は走査電極駆動ＩＣ１１の内部で接続させているため同機能となる。また短辺に配置された電源端子ＶＤＤ、ＶＭ、ＶＳＳ、信号入力端子ＣＫ、ＳＴも走査電極駆動ＩＣ１１の中心に関して点対称な配置をとっている。
【手続補正７】
【補正対象書類名】明細書
【補正対象項目名】００２１
【補正方法】変更
【補正の内容】
【００２１】
図５は、電極駆動用の出力端子群が互い違いな配列をとった場合の第２の実施の形態の走査電極駆動ＩＣ５１の端子配置を示す模式図である。図１と同じ記号は同等の端子を表しており、走査電極駆動ＩＣ５１の電極駆動用の出力端子群Ｔ１〜２４０の配列に違いがある。互い違いの配列でも出力端子数が偶数であれば、出力端子の配列を点対称にできるので、正置表示と反転表示の変更、および実装位置の左右の変更は第１の実施の形態と同様である。
【手続補正８】
【補正対象書類名】明細書
【補正対象項目名】００２２
【補正方法】変更
【補正の内容】
【００２２】
図６は、第３の実施の形態の走査電極駆動ＩＣ６１として、電極駆動用の出力端子群がマトリクス状に配列する場合で、短辺に平行な出力端子列が２個の場合の模式図である。図３と同じ記号は同等の端子を表しており、走査電極駆動ＩＣ６１の出力端子群Ｔ１〜２４０の配列に違いがある。マトリクス状の配列でも電極駆動用の出力端子が点対称に配列していれば、正置表示と反転表示の変更は第１の実施の形態と同様である。画面の左右で実装条件を共通にするためには、短辺に平行な出力端子行の長辺方向ピッチを一定にしておく必要がある。
【手続補正９】
【補正対象書類名】明細書
【補正対象項目名】００２４
【補正方法】変更
【補正の内容】
【００２４】
図８は、第５の実施の形態の走査電極駆動ＩＣ８１、８２を縦列接続した場合の接続状況を示す模式図であり、ガラス基板の裏側から走査電極駆動ＩＣ８１、８２の端子面を眺めたものである。図３と同じ記号は同等の端子および配線、電極を示している。外部回路から供給される電源ｖｄｄ、ｖｍ、ｖｓｓと信号ｃｋ、ｓｔ（図２を参照）は、図の上部の配線Ｐ８０、Ｐ８２、Ｐ８４、Ｐ８１、Ｐ８３を介して走査電極駆動ＩＣ８１に入力する。図１の走査電極駆動ＩＣ１１と比べると、走査電極駆動ＩＣ８１の下辺の端子配列が異なっている上、走査電極駆動ＩＣ１１の下辺の信号入力端子ＳＴが、走査電極駆動ＩＣ
８１では次段の走査電極駆動ＩＣ８２をスタートさせるキャリーの信号出力端子ＣＯに変わっている。走査電極駆動ＩＣ８１、８２の電源端子ＶＤＤ、ＶＭ、ＶＳＳと信号入力端子ＣＫは配線Ｐ８５、Ｐ８７、Ｐ８９、Ｐ８６で接続しているので、走査電極駆動ＩＣ８１、８２では電源ｖｄｄ、ｖｍ、ｖｓｓとクロック信号ｃｋが同じものとなる。走査電極駆動ＩＣ８１の信号出力端子ＣＯと走査電極駆動ＩＣ８２の信号入力端子ＳＴとを配線Ｐ８８で接続させていることで、走査電極Ｃ２４０が選択された直後から順番に走査電極Ｃ２４１、Ｃ２４２、Ｃ２４３、Ｃ２４４、……が選択される。選択方向を変えるには各走査電極駆動ＩＣ８１、８２を１８０゜回転させて実装すればよいが、図７の第３の実施の形態と同様に下側にも配線をあらかじめ準備しておく必要がある。
【手続補正１０】
【補正対象書類名】明細書
【補正対象項目名】００２６
【補正方法】変更
【補正の内容】
【００２６】
【発明の効果】
以上説明したように、本願発明は、アドレッシング機能を一方向に限定したことで回路が単純化し素子数が減ったため電極駆動ＩＣの面積を小さくでき、実装ルールの微細化に沿うものとなった。電極駆動用以外の端子群が電極駆動ＩＣの短辺側に配置されており、さらに電極駆動用の出力端子群が点対称な配列であるため、電極駆動ＩＣを１８０°回転させても実装基板上の電極駆動用の接続部と接続できる。このようにして実装方向を選ぶことで反転表示機能を維持することができる。また画面に対する実装位置の自由度も維持できる。
【手続補正１１】
【補正対象書類名】明細書
【補正対象項目名】００２７
【補正方法】変更
【補正の内容】
【００２７】
また、本願発明は、短辺側に配置された端子群も点対称性があるため、１８０°回転させて実装させた場合でも、実装基板上の配線パターンを共用したまま短辺側の端子群も接続できる、という効果が加わる。
【手続補正１２】
【補正対象書類名】明細書
【補正対象項目名】００２８
【補正方法】変更
【補正の内容】
【００２８】
また、本願発明は、直線的な電極駆動用の出力端子群の配列に対応し、電極駆動ＩＣ内の出力ブロックも直線的に配列させられるので、電極駆動ＩＣの設計が容易になる、という効果が加わる。
【手続補正１３】
【補正対象書類名】明細書
【補正対象項目名】００２９
【補正方法】変更
【補正の内容】
【００２９】
また、本願発明は、電極駆動用の出力端子群の配列を互い違いにしたため端子間距離が増やせるので、端子間距離にまつわる実装上の制約を回避できる、という効果が加わる。
【手続補正１４】
【補正対象書類名】明細書
【補正対象項目名】００３０
【補正方法】変更
【補正の内容】
【００３０】
また、本願発明は、電極駆動用の出力端子群のマトリクス配列により電極駆動ＩＣの面内を広く利用できるため、電極駆動用の出力端子の数を多くできる、という効果が加わる。
【手続補正１５】
【補正対象書類名】明細書
【補正対象項目名】００３１
【補正方法】変更
【補正の内容】
【００３１】
また、本願発明は、電極駆動ＩＣの長辺を短くできるという効果が加わる。
【手続補正１６】
【補正対象書類名】明細書
【補正対象項目名】００３２
【補正方法】変更
【補正の内容】
【００３２】
また、本願発明は、縦列接続により多数の電極が駆動できるという効果が加わる。
【手続補正１７】
【補正対象書類名】明細書
【補正対象項目名】図６
【補正方法】変更
【補正の内容】
【図６】
本発明の第３の実施の形態の走査電極駆動ＩＣ６１の接続状況を示す模式図。
【手続補正１８】
【補正対象書類名】図面
【補正対象項目名】図１
【補正方法】変更
【補正の内容】
【図１】
1999085092.tif 000001
【手続補正１９】
【補正対象書類名】図面
【補正対象項目名】図３
【補正方法】変更
【補正の内容】
【図３】
1999085092.tif 000002
【手続補正２０】
【補正対象書類名】図面
【補正対象項目名】図４
【補正方法】変更
【補正の内容】
【図４】
1999085092.tif 000003
【手続補正２１】
【補正対象書類名】図面
【補正対象項目名】図５
【補正方法】変更
【補正の内容】
【図５】
1999085092.tif 000004
【手続補正２２】
【補正対象書類名】図面
【補正対象項目名】図６
【補正方法】変更
【補正の内容】
【図６】
1999085092.tif 000005
【手続補正２３】
【補正対象書類名】図面
【補正対象項目名】図７
【補正方法】変更
【補正の内容】
【図７】
1999085092.tif 000006
【手続補正２４】
【補正対象書類名】図面
【補正対象項目名】図８
【補正方法】変更
【補正の内容】
【図８】
1999085092.tif 000007